(57)【要約】指紋採取技術において、採取された残留指紋を保存し、合わせて指紋採取時の情報を物理的に記録・保存し、物的証拠採用能力を付加する。指紋採取手段において、粘着層あるいは指紋の凹凸を転写できる物質の層１１１からなる指紋を採取する指紋採取部１１と、指紋採取部１１と関連付けて設けた指紋の所有者に関する各種情報を記録するデータ記録部１２とを有し、指紋採取部１１とデータ記録部１２を同じ基材１上に設け、さらにその上を保護膜１３で覆った。
2007043169.tif 000002
【特許請求の範囲】
【請求項１】
基材上に設けた粘着層あるいは指紋の凹凸を転写できる物質の層からなる指紋を採取する指紋採取部と、該指紋採取部と関連付けて設けた前記指紋の所有者に関する各種情報を記録するデータ記録部とを有し、前記指紋採取部と前記データ記録部を同じ基材上に設けたことを特徴とする指紋採取手段。
【請求項２】
請求項１記載の指紋採取手段において、前記基材がテープ状に形成され、前記指紋採取部と前記データ記録部が前記基材上にテープの長手方向に交互に配置されることを特徴とする指紋採取手段。
【請求項３】
請求項１記載の指紋採取手段において、前記基材がテープ状に形成され、前記指紋採取部が前記基材上にテープの長手方向に順次配置され、前記データ記録部が前記指紋採取部と並んでテープの端部に長手方向に配置されることを特徴とする指紋採取手段。
【請求項４】
請求項１記載の指紋採取手段において、前記基材がカード状に形成され、前記指紋採取部と前記データ記録部が前記基材上に関連付けて配置されることを特徴とする指紋採取手段。
【請求項５】
請求項１記載の指紋採取手段において、前記基材がテープ状に形成され、前記指紋採取部と前記データ記録部が前記基材上にテープの長手方向に交互に配置され、指紋採取後の指紋採取部を保護膜で覆うことを特徴とする指紋採取手段。
【請求項６】
請求項１記載の指紋採取手段において、前記基材がテープ状に形成され、前記指紋採取部が前記基材上にテープの長手方向に順次配置され、前記データ記録部が前記指紋採取部と並んでテープの端部に長手方向に配置され、指紋採取後の指紋採取部を保護膜で覆うことを特徴とする指紋採取手段。
【請求項７】
請求項１記載の指紋採取手段において、前記基材がカード状に形成され、前記指紋採取部と前記データ記録部が前記基材上に関連付けて配置され、指紋採取後の指紋採取部を保護膜で覆うことを特徴とする指紋採取手段。
【請求項８】
基材上に設けた粘着層あるいは指紋の凹凸を転写できる物質の層からなる指紋を採取する指紋採取部および該指紋採取部と関連付けて設けた前記指紋の所有者に関する各種情報を記録するデータ記録部とを有し前記指紋採取部と前記データ記録部を同じ基材上に設けた指紋採取手段と、
前記指紋採取手段の指紋採取部に採取された指紋の情報を読み取る指紋読取部と
指紋に関する情報を格納する指紋データベースと、
前記指紋読取手段で読み取った指紋情報に基づいて指紋データベースを参照して一致する指紋を探し出す比較・照合部とを有する
ことを特徴とする指紋採取システム。
【発明の詳細な説明】
【技術分野】
【０００１】
この発明は、本人確認のための指紋採取技術に関する。
【技術背景】
【０００２】
指紋を採取して本人確認を行う技術は、特定空間への入退室、入退館、入退場、出入国、出退勤、出席の管理、公的証明書類発行時の本人確認、公的機関において個人情報を取り扱う担当者の確認または調査閲覧する部外者の確認、一般企業における顧客情報・企業情報・図面情報等重要情報を取り扱う担当者の確認、設備・装置・機器やシステム使用者が許可された者であるかの確認など広い分野で利用が予想される。
【０００３】
指紋照合を行うための指紋パターン採取技術として、主に、静電容量検出タイプ、光学式タイプ、感圧式タイプなどがある。これらの技術は、全て直接指先の指紋を画像化しようとする技術である。そのため、これらの技術は、指先表面の状態によって入手される画像の質が左右されてしまい、照合自体に影響を及ぼす。例えば、上記各技術においては、乾燥指といわれる指や指紋の薄い人の指紋照合は、事実上困難であり、被照合者としては不適合となっていた。
【０００４】
さらに、上記本人確認技術においては、同一センサーの同一箇所に必ず指を接触させて指紋パターンを撮影するため、不特定多数の人が触れるセンサー上には触れることがためらわれるほど汚れが蓄積し、不潔感を与えることが問題となっている。
【０００５】
上記の問題点は、本出願人が提案した、「データを記録するデータ記録部とカード使用時にカード使用者の指紋が押捺される指紋押捺部材が着脱可能に貼り付けられる押捺部材貼付部を有するカードと、カード読取装置とからなるカード使用者確認システムにおいて、カード読取装置に、指紋押捺部材貼付手段と、指紋押捺部材はがし手段と、指紋読取手段を設け、カード読取装置に挿入されたカードの押捺部材貼付部に着脱可能に指紋押捺部材を貼り付けた後一旦カード読取装置から排出し、カード使用者が指紋押捺部材に指紋を押捺したカードをカード読取装置に再度挿入し、再挿入されたカードの指紋押捺部材からカード使用者の指紋パターンを読み取り、読み取ったカード使用者の指紋データと予め登録されたカード所有者の指紋データを用いてカード所有者とカード使用者の一致を確認し、カード使用者の一致を確認する処理が済んだカードから指紋押捺部材をはがした後、排出するようにしたカード使用者確認システム」の技術（特許文献１、２参照）により解決されたが、照合した結果は依然としてデジタルデータとして記録されているだけである。
【０００６】
デジタルデータは、電気的な信号でしかなく、所要の能力を有する人物であれば、いか様にも改ざんしたり破壊することが可能であることから、デジタルデータは証拠採用能力としての脆弱性が指摘されている。この問題は、指紋照合に限らず、バイオメトリクスを用いている全ての製品、装置、システムに共通する課題でもある。
【０００７】
本来、指紋を含むバイオメトリクスを用いて本人照合を行う理由は、確実に本人であることを確認し、セキュリティレベルを高めるための手段として用いられている。しかし、その照合結果や照合結果を得るに至るプロセスにおいて改ざんが行われる可能性を残したままでは、セキュリティ本来の目的を満たしてはいない。
【特許文献１】特許第３３６７６０６号
【特許文献２】ＥＰ１２９１８２５Ａ１
【発明の開示】
【発明が解決しようとする課題】
【０００８】
本発明は、上記問題に鑑み、指紋採取技術において、指先表面の状態により左右されることなく、安定した鮮明な画像を入手することにより、高精度な本人確認手段を提供し、被照合者に不潔感を与えず指紋を採取できる手段を提供するとともに、転写されたことにより採取された残留指紋を保存し、合わせて指紋採取時の情報を物理的に記録・保存し、物的証拠採用能力を付加した指紋採取手段および指紋採取装置を提供することを目的としている。
【課題を解決するための手段】
【０００９】
上記課題を解決するために、本発明は、指紋パターンを採取し照合するための手段として、上記特許文献１に提案した指紋採取技術、すなわち、適切な粘着性を有する粘着層あるいは指紋の凹凸を転写できる物質の層を形成するシールまたはテープを用い、当該シールまたはテープに指を押し当て転写することにより指紋パターンを採取する指紋採取部と、指紋採取時のデータを記録しておく情報記録部を一体とし、指紋採取手段を構成する。【００１０】
本発明は、上記指紋採取手段において、指紋を採取し照合が完了したなら、必要なデータを情報記録部に記録し、採取された指紋パターンおよび記録されたデータが改ざんや埃などの異物付着、傷を受けないようにするために保護シールまたはテープにより、指紋採取部と情報記録部を封止し、長期間の保存可能な処理を施す。【００１１】
本発明は、情報を記録するための手段として、必要情報を文字列として印字、或いは暗号化した状態でバーコードや二次元コード（ＱＲコード）などを用いて情報記録部に印刷する。さらに、本発明は、情報記録部には、検索を容易にすることを考慮して、あらかじめ通し番号や識別手段などを別途書き加えておくこともできる。【００１２】
本発明は、シールまたはテープ自体が偽造されたものでないことを担保するために、通常用いられている偽造防止策を該シールまたはテープに実施することもできる。また、本発明は、例えば、株式会社日立製作所社製の「ミューチップ」のような粉末状ＩＣチップを該シールまたはテープの情報記録部に埋設しておくこともできる。【００１３】
本発明は、指紋採取部と情報記録部が交互に構成され、それらが繰り返し出現するように連なったテープ状に形成しておくこともできる。【００１４】
本発明は、指紋パターンを採取する指紋採取部に用いる粘着物質あるいは指紋の凹凸を転写できる物質（以下、粘着物質という）が適切な粘着性を有する他、基台上に光硬化樹脂を塗布し、さらにその光硬化樹脂を粘着テープによりコーティングし、露光することで硬化させて指紋パターンを固定化する機能、粘着物質に熱硬化樹脂を混練して加熱により硬化させるなどし、指紋パターンを固定化する機能を持たせることができる。また、同粘着物質に蛍光物質を混練し、ブラックライトを照射することで指紋パターンの視認性の向上を図ることもできる。【００１５】
本発明は、指紋パターンを採取する指紋採取部には、粘着物質の他、表面が鏡面加工された鉄などの金属箔や紫外線域で感光する写真フィルムなどに指紋を転写させることにより指紋を採取することもできる。【００１６】
本発明は、保護シールまたはテープも封止するため、適切な接合力を有する他、採取指紋を封止した際、指紋パターンを発色させ目視で確認し易くすることを目的として、同粘着物質の基材にさまざまな添加剤、例えばニンヒドリンのようなタンパク質やアミノ酸と反応する試薬を配合することもできる。【００１７】
本発明は、指紋の採取、照合手段は、特許文献１の手段により解決し、更に、転写された指紋パターンを残留指紋として長期間保存し、なおかつ、指紋採取時のさまざまな情報を合わせて記録する情報記録部を一体化し、保護シールまたはテープを用いて封止することで改ざんなどの不正行為から防御し、証拠採用能力を格段に向上させた。【００１８】
本発明は、第１の実施例に示したように、指紋採取部と情報記録部を一体化したことにより、採取指紋パターンと、指紋採取時の必要データを同時に確認することができるようにした。【００１９】
本発明は、第２の実施例に示したように、指紋採取部と情報記録部を一体化した物を、連続的かつ交互に出現させるためにテープ状にして、或いは指紋採取部と情報記録部を一体化したシールを連続した保護テープにより回収することで、指紋採取部が時系列に、且つ間断なく連続的して保存することができることから、指紋採取手段の証拠採用能力が担保される。【００２０】
このことにより、本発明は、セキュリティ本来の目的である、不正行為、犯罪行為に対する非常に高度な抑制効果を得ることができる。【００２１】
従来、指紋を押捺する場合、朱肉やインクを用いなければならなかったが、本発明は、第３の実施例に示したように、指紋採取部を紙などの基台上に構成し、指紋採取後保護シールで封止すれば、朱肉やインクを用いずとも指紋捺印が可能になり、本発明により指先を汚すことなく押捺ができる。また、本発明の方法を用いることで、指紋パターンをデータベースに登録する際にも被採取者が登録機のある所まで出向く必要もなくなる。さらに、本発明は、指紋採取時に被採取者を照合することが困難なケース、或いはその場で直ちに被採取者を照合することを必要としないが、後日当該人物について確認しなければならないケースにおいても、別途オフラインで照合に供することが可能になる。【００２２】
本発明は、粘着物質に採取されるのは指紋パターンばかりではなく、汗などの分泌物や、剥離した皮膚の断片なども採取し確保しておくことも可能である。【００２３】
本発明は、粘着物質を塗布した保護シールまたはテープで指紋採取部と情報記録部を覆い、両者を封止することで、両シールまたはテープを引き剥がすことは非常に困難であり、尚且つ引き剥がした時点で採取された指紋パターンは破壊されてしまう。
【発明の効果】
【００２４】
本発明によれば、被採取者に不潔感を与えること無く、正確な本人を確認する手法を実現することができる。さらに、本発明によれば、指紋採取部と採取時の情報記録部を一体としたことで、照合結果や必要な情報も同時に物理的に記録され、直接指紋パターンと当該指紋の情報を確認することができる。また、本発明によれば、指紋採取部と情報記録部を一体として連続するテープ状にする、またはシール状の場合は回収のための連続した保護テープを用いることで、採取指紋および当該指紋データを時系列に従って連続的に保存できるので、中間のデータの抜き取りや、不正な修正や改ざんを行ったとしても直ちに判明することから、物的証拠として証拠採用能力が更に向上する。
【図面の簡単な説明】
【００２５】
【図１】図１は、本発明にかかる指紋採取手段の第１の実施例を説明する図である。
【図２】図２は、本発明にかかる指紋採取手段の第２の実施例を説明する図である。
【図３】図３は、本発明にかかる指紋採取手段の第３の実施例を説明する図である。
【図４】図４は、本発明にかかる指紋採取手段の第４の実施例を説明する図である。
【図５】図５は、本発明にかかる指紋採取手段の第５の実施例を説明する図である。
【図６】図６は、本発明にかかる指紋採取部および情報記録部を保護するための保護シールまたはテープを説明する図である。
【図７】図７は、本発明にかかる指紋採取手段を用いた指紋採取システムの構成を説明する図である。
【図８】図８は、本発明にかかる指紋採取手段の第２または第３の実施例においてテープ走行台を説明する図である。
【符号の説明】
【００２６】
１  指紋採取手段
１１  指紋採取部
１１１  粘着材層
１２  情報記録部
１２１  データトラック
１３  保護フィルム
１３１  粘着材層
２  指紋採取手段１をテープ状にした指紋採取手段
３  指紋採取手段１を紙などの基材上に形成した指紋採取手段
７１  ＩＤ入力部
７２  指紋読取部
７３  指紋データベース
７４  比較・照合部
７５  データ出力部
７６  印字装置
８１  テープ走行台
８２  ガイド
【発明の実施するための最良の形態】
【００２７】
本発明の実施の形態は、フィルムや紙などの基台上に設けた粘着層あるいは指紋の凹凸を転写できる物質の層からなる指紋を採取する指紋採取部と、該指紋採取部と関連付けて設けた前記指紋の所有者に関する各種情報を記録する情報記録部とを有し、前記指紋採取部と前記情報記録部を同じ基材上に設けた。
【００２８】
さらに、本発明は、指紋採取手段において、前記指紋採取部と前記情報記録部を連続して出現させるために前記基材をテープ状に形成し、前記指紋採取部と前記情報記録部が前記基材上にテープの長手方向に交互に配置されるか、前記指紋採取部が前記基材上にテープの長手方向に順次配置され、前記情報記録部が前記指紋採取部と並んでテープの端部に長手方向に配置されるか、前記情報記録部が前記指紋採取部の外周部に配置される。また、本発明は、上記指紋採取手段において、前記基材がカード状に形成され、前記指紋採取部と前記情報記録部が前記基材上に関連付けて配置される。
【００２９】
本発明は、上記指紋採取手段において、指紋採取後の指紋採取部および指紋採取部と情報記録部を保護シールまたはテープで覆うようにした。
【００３０】
本発明は、基材上に設けた粘着層あるいは指紋の凹凸を転写できる物質の層からなる指紋を採取する指紋採取部および該指紋採取部と関連付けて設けた前記指紋の所有者に関する各種情報を記録する情報記録部とを有し、前記指紋採取部と前記情報記録部を同じ基材上に設けた指紋採取手段と、前記指紋採取手段の指紋採取部に採取された指紋パターンを読み取る指紋読取部と、指紋に関する情報を格納する指紋データベースと、前記指紋読取手段で読み取った指紋情報に基づいて指紋データベースを参照して一致・不一致を確認する比較・照合部とを有する。
【００３１】
本発明にかかる指紋採取段を用いた本人確認システムは、指紋採取部で採取した指紋を撮像手段で読み取り、指紋データベースに登録された指紋と照合し、照合結果や管理者が必要とする指紋採取の日時や本人のデータなどを情報記録部に書き込むことにより、採取した指紋と当該人物の情報を一体化することができる。
【実施例１】
【００３２】
本発明の第１の実施例にかかる指紋採取手段の構成を、図１を用いて説明する。図１の上の図は指紋採取手段を上面から見た図であり、図１の下の図は指紋採取手段の縦断面図である。この指紋採取手段は、フィルム状の基材１上に指紋採取部１１と情報記録部１２を一体として設けて構成される。フィルム状の基材１は、照合のための指紋パターンの撮影がより効果的に行われるよう、着色を施しても良い。また、情報記録部１２記録された情報を目視でも確認し易くするために、あらかじめ、例えば、白色に印刷しておいても良い。指紋採取部１１には、指紋を採取するための粘着剤層１１１が設けられ、指紋採取後には、指紋採取部１１を保護フィルム１３で覆って採取した指紋を保護し、情報記録部１２の記録内容の改ざんを防ぐために、情報記録部１２の上を保護フィルム１３で覆うことができる。【００３３】
情報記録部１２は、指紋採取部１１と関連付けて設けられ、データ番号、ＩＤ番号、指紋採取日時、照合結果、被照合者名などの本人確認のために必要な情報が記録される。情報記録部１２へ書き込まれる情報は、内容を目視によって認識可能な文字や記号、または顔写真などとすることができ、またバーコードなどの読取装置によって読み取り可能な符号化情報として記述することができる。情報記録部１２への情報の書き込みは、通常のプリンターやバーコードプリンターで直接印字する方法や、情報記録部１２に光硬化樹脂を塗布し、適切な波長の光照射装置により情報を書き込む方法や、シールまたはテープに埋設したＩＣチップに書き込む方法をとることができる。
【実施例２】
【００３４】
図２を用いて、本発明の第２の実施例を説明する。この実施例は、第１の実施例で示した前記指紋採取部と前記情報記録部を一体化したシールを連続的に出現するようテープ状にしたもので、前記指紋採取部１１と前記情報記録部１２をテープ状の基材２上に交互に出現させ、保護フィルム１３で覆って構成されたものである。指紋採取部１１および情報記録部１２は、第１の実施例と同様に構成する。
【実施例３】
【００３５】
図３を用いて、本発明の第３の実施例を説明する。この実施例は、例えば紙を用いたカード状の基材３の上に指紋採取部１１を設けたものであり、指紋採取部１１は、第１の実施例や第２の実施例と同様に、粘着材層１１１が設けられ、少なくとも指紋採取部１１の粘着剤層１１１の上を保護フィルム１３で覆って構成される。カード状の基材３には、当該指紋の所有者の氏名や採取日時などの情報３１が記述される。このような指紋採取手段を用いることによって、指紋押捺手段として用いることができる他、その場で直ちに被採取者を照合することを必要としないが、後日当該人物について確認しなければならないケースなどにおいても、別途オフラインで照合に供することができる。
【実施例４】
【００３６】
図４を用いて、本発明の第４の実施例を説明する。図４は第２の実施例で示した基材２の上に指紋採取部１１を並べて設けるとともに、基材２の端に帯状に設けた情報記録部１２としてのデータトラック１２１を設けた例である。データトラック１２１は磁気トラックとすることができ、記録されるデータの内容は実施例１と同様であるが、磁気データとして採取した指紋と対応付けて書き込まれる。この実施例によれば、データの読出しを高速で行い、採取した指紋を迅速に取り出すことができる。
【実施例５】
【００３７】
図５を用いて、本発明の第５の実施例を説明する。図５は第１の実施例または第２の実施例で示した、基材１または基材２上の指紋採取部１１の周囲に情報記録部１２を配した例である。
【実施例６】
【００３８】
図６を用いて、本発明に用いる保護シールまたはテープの実施例を説明する。保護シールまたはテープ１３はフィルムと適切な粘着力を有する粘着層あるいは指紋の凹凸を転写できる物質の層１３１によって構成されている。また、同粘着層あるいは指紋の凹凸を転写できる物質の層１３１にはさまざまな添加剤、例えば、ニンヒドリンのようなタンパク質やアミノ酸と反応する試薬を配合することもできる。このことにより、採取後の指紋パターンを発色させて目視による認識をしやすくすることができる。さらに、粘着層あるいは指紋の凹凸を転写できる物質の層１３１の基材として二液性混合粘着剤の硬化剤を用い、指紋採取部１１に用いている粘着剤１１１の基材には主剤を用いて、封止のために両者を接合させれば二液が反応し硬化することにより強力な接合力を発揮させることができ、両シールまたはテープを引き剥がすことは非常に困難になる。【００３９】
図７を用いて、指紋採取手段を用いた本人確認システムの構成を説明する。本発明にかかる本人確認システムは、指紋採取手段の指紋採取部１１に転写され採取された指紋を読み取る指紋読取部７１と、予め採取した指紋データもしくは今回読み取った指紋データおよび指紋データに関連するその他の情報を格納した指紋データベース７３と、指紋読取部７１で読み取った指紋を用いて指紋データベース７３に格納された指紋データを読み出して比較照合して一致・不一致を確認する比較照合部７４と、指紋採取手段の情報記録部１２へ各種情報を印字または印刷する印字装置７６と、該印字装置へデータを出力するデータ出力部７５を有して構成される。【００４０】
ＩＤ入力部７２は必要に応じて設けても良く、不要とすることもできる。指紋データベース７３は、ＩＣカード上のＩＣに記録されていても良い。ＩＤ等必要情報の印字装置７６は、通常のプリンターやバーコードプリンターによる直接印字する手段や、光硬化樹脂を塗布したデータ記録部１２に、適切な波長の光を光照射装置により照射して情報を書き込むことができる。【００４１】
図８は、第２の実施例で示した指紋採取部と情報記録部を一体化しテープ状にした場合、指紋採取部に指紋を押捺する際に用いるテープ走行台の形状を説明する図である。この例では、テープ状の指紋採取部における指の位置が不安定になり、押捺される指紋パターンがずれることを防ぐために、テープ走行台８１の指を押し付ける箇所に凹状のガイド８２を設けた。
【図１】
2007043169.tif 000003
【図２】
2007043169.tif 000004
【図３】
2007043169.tif 000005
【図４】
2007043169.tif 000006
【図５】
2007043169.tif 000007
【図６】
2007043169.tif 000008
【図７】
2007043169.tif 000009
【図８】
2007043169.tif 000010
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
基材上に設けた粘着層あるいは指紋の凹凸を転写できる物質の層からなる指紋を採取する指紋採取部と、該指紋採取部と関連付けて設けた前記指紋の所有者に関する各種情報を記録するデータ記録部とを有し、前記指紋採取部と前記データ記録部をテープ状に形成された同じ基材上に複数組設けたことを特徴とする指紋採取手段。
【請求項２】
請求項１記載の指紋採取手段において、前記指紋採取部と前記データ記録部が前記テープ状に形成された同じ基材上にテープの長手方向に交互に配置されることを特徴とする指紋採取手段。
【請求項３】
請求項１記載の指紋採取手段において、前記指紋採取部が前記テープ状に形成された基材上にテープの長手方向に順次配置され、前記データ記録部が前記指紋採取部と並んで同じテープの端部に長手方向に配置されることを特徴とする指紋採取手段。
【請求項４】
（削除）
【請求項５】
請求項１記載の指紋採取手段において、前記指紋採取部と前記データ記録部が前記テープ状に形成された同じ基材上にテープの長手方向に交互に配置され、指紋採取後の指紋採取部を保護膜で覆うことを特徴とする指紋採取手段。
【請求項６】
請求項１記載の指紋採取手段において、前記指紋採取部が前記テープ状に形成された基材上にテープの長手方向に順次配置され、前記データ記録部が前記指紋採取部と並んで同じテープの端部に長手方向に配置され、指紋採取後の指紋採取部を保護膜で覆うことを特徴とする指紋採取手段。
【請求項７】
（削除）
【請求項８】
基材上に設けた粘着層あるいは指紋の凹凸を転写できる物質の層からなる指紋を採取する指紋採取部および該指紋採取部と関連付けて設けた前記指紋の所有者に関する各種情報を記録するデータ記録部とを有し前記指紋採取部と前記データ記録部をテープ状に形成された同じ基材上に複数組設けた指紋採取手段と、
前記指紋採取手段の指紋採取部に採取された指紋の情報を読み取る指紋読取部と、
指紋に関する情報を格納する指紋データベースと、
前記指紋読取手段で読み取った指紋情報に基づいて指紋データベースを参照して一致する指紋を探し出す比較・照合部とを有する
ことを特徴とする指紋採取システム。
【手続補正２】
【補正対象書類名】明細書
【補正対象項目名】０００３
【補正方法】変更
【補正の内容】
【０００３】
プを用い、当該シールまたはテープに指を押し当て転写することにより指紋パターンを採取する指紋採取部と、指紋採取時のデータを記録しておく情報記録部をテープ状に形成された同じ基材上に複数組設け、指紋採取手段を構成する。
［００１０］
本発明は、上記指紋採取手段において、指紋を採取し照合が完了したなら、必要なデータを情報記録部に記録し、採取された指紋パターンおよび記録されたデータが改ざんや埃などの異物付着、傷を受けないようにするために保護シールまたはテープにより、指紋採取部と情報記録部を封止し、長期間の保存可能な処理を施す。
［００１１］
本発明は、情報を記録するための手段として、必要情報を文字列として印字、或いは暗号化した状態でバーコードや二次元コード（ＱＲコード）などを用いて情報記録部に印刷する。さらに、本発明は、情報記録部には、検索を容易にすることを考慮して、あらかじめ通し番号や識別手段などを別途書き加えておくこともできる。
［００１２］
本発明は、シールまたはテープ自体が偽造されたものでないことを担保するために、通常用いられている偽造防止策を該シールまたはテープに実施することもできる。また、本発明は、例えば、株式会社日立製作所社製の「ミューチップ」のような粉末状ＩＣチップを該シールまたはテープの情報記録部に埋設しておくこともできる。
［００１３］
本発明は、指紋採取部と情報記録部が交互に構成され、それらが繰り返し出現するように連なったテープ状に形成しておくこともできる。
［００１４］
本発明は、指紋パターンを採取する指紋採取部に用いる粘着物質あるいは指紋の凹凸を転写できる物質（以下、粘着物質という）が適切な粘着性を有する他、基材上に光硬化樹脂を塗布し、さらにその光硬化樹脂を粘着テープによりコーティングし、露光することで硬化させて指紋パターンを固定化する機能、粘着物質に熱硬化樹脂を混練して加熱により硬化させるなどし、指紋パターンを固定化する機能を持たせることができる。また、同粘着物質に蛍光物質を混練し、ブラックライトを照射することで指紋パターンの視認性の向上を図ることもできる。
［００１５］
本発明は、指紋パターンを採取する指紋採取部には、粘着物質の他、表面が鏡面加工された鉄などの金属箔や紫外線域で感光する写真フィルムなどに指紋を転写させることにより指紋を採取することもできる。
［００１６］
本発明は、保護シールまたはテープも封止するため、適切な接合力を有する他、
【手続補正３】
【補正対象書類名】明細書
【補正対象項目名】０００４
【補正方法】変更
【補正の内容】
【０００４】
採取指紋を封止した際、指紋パターンを発色させ目視で確認し易くすることを目的として、同粘着物質の基材にさまざまな添加剤、例えばニンヒドリンのようなタンパク質やアミノ酸と反応する試薬を配合することもできる。
［００１７］
本発明は、指紋の採取、照合手段は、特許文献１の手段により解決し、更に、転写された指紋パターンを残留指紋として長期間保存し、なおかつ、指紋採取時のさまざまな情報を合わせて記録する情報記録部を一体化し、保護シールまたはテープを用いて封止することで改ざんなどの不正行為から防御し、証拠採用能力を格段に向上させた。
［００１８］
本発明は、発明の基礎となる構成に示したように、指紋採取部と情報記録部を一体化したことにより、採取指紋パターンと、指紋採取時の必要データを同時に確認することができるようにした。
［００１９］
本発明は、第１の実施例に示したように、指紋採取部と情報記録部を一体化した物を、連続的かつ交互に出現させるためにテープ状にして、或いは指紋採取部と情報記録部を一体化したシールを連続した保護テープにより回収することで、指紋採取部が時系列に、且つ間断なく連続的して保存することができることから、指紋採取手段の証拠採用能力が担保される。
［００２０］
このことにより、本発明は、セキュリティ本来の目的である、不正行為、犯罪行為に対する非常に高度な抑制効果を得ることができる。
［００２１］
［００２２］
本発明は、粘着物質に採取されるのは指紋パターンばかりではなく、汗などの分泌
【手続補正４】
【補正対象書類名】明細書
【補正対象項目名】０００５
【補正方法】変更
【補正の内容】
【０００５】
物や、剥離した皮膚の断片なども採取し確保しておくことも可能である。
［００２３］
本発明は、粘着物質を塗布した保護シールまたはテープで指紋採取部と情報記録部を覆い、両者を封止することで、両シールまたはテープを引き剥がすことは非常に困難であり、尚且つ引き剥がした時点で採取された指紋パターンは破壊されてしまう。
発明の効果
［００２４］
本発明によれば、被採取者に不潔感を与えること無く、正確な本人を確認する手法を実現することができる。さらに、本発明によれば、指紋採取部と採取時の情報記録部をテープ状に形成された同じ基材上に複数組設けたことで、照合結果や必要な情報も同時に物理的に記録され、直接指紋パターンと当該指紋の情報を確認することができる。また、本発明によれば、指紋採取部と情報記録部をテープ状に形成された同じ基材上に複数組設けて連続するテープ状にすることで、採取指紋および当該指紋データを時系列に従って連続的に保存できるので、中間のデータの抜き取りや、不正な修正や改ざんを行ったとしても直ちに判明することから、物的証拠として証拠採用能力が更に向上する。
図面の簡単な説明
［００２５］
［図１］図１は、本発明にかかる指紋採取手段の発明の基礎となる構成を説明する図である。
［図２］図２は、本発明にかかる指紋採取手段の第１の実施例を説明する図である。
［図３］図３は、本発明にかかる指紋採取手段の第２の実施例を説明する図である。
［図４］図４は、本発明にかかる指紋採取手段の第３の実施例を説明する図である。
［図５］図５は、本発明にかかる指紋採取部および情報記録部を保護するための保護シールまたはテープを説明する図である。
［図６］図６は、本発明にかかる指紋採取手段を用いた指紋採取システムの構成を説明する図である
［図７］図７は、本発明にかかる指紋採取手段の第１の実施例においてテープ走行台を説明する図である。
符号の説明
【手続補正５】
【補正対象書類名】明細書
【補正対象項目名】０００６
【補正方法】変更
【補正の内容】
【０００６】
［００２６］
１  指紋採取手段
１１  指紋採取部
１１１  粘着材層
１２  情報記録部
１２１  データトラック
１３  保護フィルム
１３１  粘着材層
２  指紋採取手段１をテープ状にした指紋採取手段
３  指紋採取手段１を紙などの基材上に形成した指紋採取手段
７１  ＩＤ入力部
７２  指紋読取部
７３  指紋データベース
７４  比較・照合部
７５  データ出力部
７６  印字装置
８１  テープ走行台
８２  ガイド
発明の実施するための最良の形態
［００２７］
本発明の実施の形態は、フィルムや紙などの基材上に設けた粘着層あるいは指紋の凹凸を転写できる物質の層からなる指紋を採取する指紋採取部と、該指紋採取部と関連付けて設けた前記指紋の所有者に関する各種情報を記録する情報記録部とを有し、前記指紋採取部と前記情報記録部をテープ状に形成された同じ基材上に複数組設けた。
［００２８］
さらに、本発明は、指紋採取手段において、前記指紋採取部と前記情報記録部を連続して出現させるために前記基材をテープ状に形成し、前記指紋採取部と前記情報記録部が前記基材上にテープの長手方向に交互に配置されるか、前記指紋採取部が前記基材上にテープの長手方向に順次配置され、前記情報記録部が前記指紋採取部と並んでテープの端部に長手方向に配置されるか、前記情報記録部が前記指紋採取部の外周部に配置される。
【手続補正６】
【補正対象書類名】明細書
【補正対象項目名】０００７
【補正方法】変更
【補正の内容】
【０００７】
［００２９］
本発明は、上記指紋採取手段において、指紋採取後の指紋採取部および指紋採取部と情報記録部を保護シールまたはテープで覆うようにした。
［００３０］
本発明は、基材上に設けた粘着層あるいは指紋の凹凸を転写できる物質の層からなる指紋を採取する指紋採取部および該指紋採取部と関連付けて設けた前記指紋の所有者に関する各種情報を記録する情報記録部とを有し、前記指紋採取部と前記情報記録部をテープ状に形成された同じ基材上に複数組設けた指紋採取手段と、前記指紋採取手段の指紋採取部に採取された指紋パターンを読み取る指紋読取部と、指紋に関する情報を格納する指紋データベースと、前記指紋読取手段で読み取った指紋情報に基づいて指紋データベースを参照して一致・不一致を確認する比較・照合部とを有する。
［００３１］
本発明にかかる指紋採取段を用いた本人確認システムは、指紋採取部で採取した指紋を撮像手段で読み取り、指紋データベースに登録された指紋と照合し、照合結果や管理者が必要とする指紋採取の日時や本人のデータなどを情報記録部に書き込むことにより、採取した指紋と当該人物の情報を一体化することができる。
発明の基礎となる構成
［００３２］
本発明にかかる指紋採取手段の発明の基礎となる構成を、図１を用いて説明する。図１の上の図は指紋採取手段を上面から見た図であり、図１の下の図は指紋採取手段の縦断面図である。この指紋採取手段は、フィルム状の基材１上に指紋採取部１１と情報記録部１２を一体として設けて構成される。フィルム状の基材１は、照合のための指紋パターンの撮影がより効果的に行われるよう、着色を施しても良い。また、情報記録部１２は記録された情報を目視でも確認し易くするために、あらかじめ、例えば、白色に印刷しておいても良い。指紋採取部１１には、指紋を採取するための粘着剤層１１１が設けられ、指紋採取後には、指紋採取部１１を保護フィルム１３で覆って採取した指紋を保護し、情報記録部１２の記録内容の改ざんを防ぐために、情報記録部１２の上を保護フィルム１３で覆うことができる。
［００３３］
情報記録部１２は、指紋採取部１１と関連付けて設けられ、データ番号、ＩＤ番号、指紋採取日時、照合結果、被照合者名などの本人確認のために必要な情報が記録さ
【手続補正７】
【補正対象書類名】明細書
【補正対象項目名】０００８
【補正方法】変更
【補正の内容】
【０００８】
れる。情報記録部１２へ書き込まれる情報は、内容を目視によって認識可能な文字や記号、または顔写真などとすることができ、またバーコードなどの読取装置によって読み取り可能な符号化情報として記述することができる。情報記録部１２への情報の書き込みは、通常のプリンターやバーコードプリンターで直接印字する方法や、情報記録部１２に光硬化樹脂を塗布し、適切な波長の光照射装置により情報を書き込む方法や、シールまたはテープに埋設したＩＣチップに書き込む方法をとることができる。
実施例１
［００３４］
図２を用いて、本発明の第１の実施例を説明する。この実施例は、発明の基礎となる構成で示した前記指紋採取部と前記情報記録部を連続的に出現するようテープ状にしたもので、前記指紋採取部１１と前記情報記録部１２をテープ状の基材２上に交互に出現させ、保護フィルム１３で覆って構成されたものである。指紋採取部１１および情報記録部１２は、発明の基礎となる構成と同様に構成する。
実施例２
［００３５］
［００３６］
図３を用いて、本発明の第２の実施例を説明する。図３は第１の実施例で示した基材２の上に指紋採取部１１を並べて設けるとともに、基材２の端に帯状に設けた情報記録部１２としてのデータトラック１２１を設けた例である。データトラック１２１は磁気トラックとすることができ、記録されるデータの内容は発明の基礎となる構成と同様であるが、磁気データとして採取した指紋と対応付けて書き込まれる。この実施例によれば、データの読出
【手続補正８】
【補正対象書類名】明細書
【補正対象項目名】０００９
【補正方法】変更
【補正の内容】
【０００９】
しを高速で行い、採取した指紋を迅速に取り出すことができる。
実施例３
［００３７］
図４を用いて、本発明の第３の実施例を説明する。図４は発明の基礎となる構成または第１の実施例で示した、基材１または基材２上の指紋採取部１１の周囲に情報記録部１２を配した例である。
実施例４
［００３８］
図５を用いて、本発明に用いる保護シールまたはテープの実施例を説明する。保護シールまたはテープ１３はフィルムと適切な粘着力を有する粘着層あるいは指紋の凹凸を転写できる物質の層１３１によって構成されている。また、同粘着層あるいは指紋の凹凸を転写できる物質の層１３１にはさまざまな添加剤、例えば、ニンヒドリンのようなタンパク質やアミノ酸と反応する試薬を配合することもできる。このことにより、採取後の指紋パターンを発色させて目視による認識をしやすくすることができる。さらに、粘着層あるいは指紋の凹凸を転写できる物質の層１３１の基材として二液性混合粘着剤の硬化剤を用い、指紋採取部１１に用いている粘着剤１１１の基材には主剤を用いて、封止のために両者を接合させれば二液が反応し硬化することにより強力な接合力を発揮させることができ、両シールまたはテープを引き剥がすことは非常に困難になる。
［００３９］
図６を用いて、指紋採取手段を用いた本人確認システムの構成を説明する。本発明にかかる本人確認システムは、指紋採取手段の指紋採取部１１に転写され採取された指紋を読み取る指紋読取部７１と、予め採取した指紋データもしくは今回読み取った指紋データおよび指紋データに関連するその他の情報を格納した指紋データベース７３と、指紋読取部７１で読み取った指紋を用いて指紋データベース７３に格納された指紋データを読み出して比較照合して一致・不一致を確認する比較照合部７４と、指紋採取手段の情報記録部１２へ各種情報を印字または印刷する印字装置７６と、該印字装置へデータを出力するデータ出力部７５を有して構成される。
［００４０］
ＩＤ入力部７２は必要に応じて設けても良く、不要とすることもできる。ＩＤ等必要情報の印字装置７６は、通常のプリンターやバーコードプリンターによる直接印字する手段や、光硬化樹
【手続補正９】
【補正対象書類名】明細書
【補正対象項目名】００１０
【補正方法】変更
【補正の内容】
【００１０】
脂を塗布したデータ記録部１２に、適切な波長の光を光照射装置により照射して情報を書き込むことができる。
［００４１］
図７は、第１の実施例で示した指紋採取部と情報記録部を一体化しテープ状にした場合、指紋採取部に指紋を押捺する際に用いるテープ走行台の形状を説明する図である。この例では、テープ状の指紋採取部における指の位置が不安定になり、押捺される指紋パターンがずれることを防ぐために、テープ走行台８１の指を押し付ける箇所に凹状のガイド８２を設けた。
【手続補正１０】
【補正対象書類名】図面
【補正対象項目名】全図
【補正方法】変更
【補正の内容】
【図１】
2007043169.tif 000011
【図２】
2007043169.tif 000012
【図３】
2007043169.tif 000013
【図４】
2007043169.tif 000014
【図５】
2007043169.tif 000015
【図６】
2007043169.tif 000016
【図７】
2007043169.tif 000017
【図８】
2007043169.tif 000018
【手続補正書】
【提出日】平成20年3月14日(2008.3.14)
【手続補正１】
【補正対象書類名】明細書
【補正対象項目名】００２６
【補正方法】変更
【補正の内容】
【００２６】
１  指紋採取手段
１１  指紋採取部
１１１  粘着剤層
１２  情報記録部
１２１  データトラック
１３  保護フィルム
１３１  粘着材層
２  指紋採取手段１をテープ状にした指紋採取手段
３  指紋採取手段１を紙などの基材上に形成した指紋採取手段
７１  指紋読取部
７２  ＩＤ入力部
７３  指紋データベース
７４  比較・照合部
７５  データ出力部
７６  印字装置
８１  テープ走行台
８２  ガイド
【手続補正２】
【補正対象書類名】明細書
【補正対象項目名】００３０
【補正方法】変更
【補正の内容】
【００３０】
本発明は、基材上に設けた粘着層あるいは指紋の凹凸を転写できる物質の層からなる指紋を採取する指紋採取部または該指紋採取部と関連付けて設けた前記指紋の所有者に関する各種情報を記録する情報記録部とを有し、前記指紋採取部と前記情報記録部をテープ状に形成された同じ基材上に複数組設けた指紋採取手段と、前記指紋採取手段の指紋採取部に採取された指紋パターンを読み取る指紋読取部と、指紋に関する情報を格納する指紋データベースと、前記指紋読取手段で読み取った指紋情報に基づいて指紋データベースを参照して一致・不一致を確認する比較・照合部とを有する。
【手続補正３】
【補正対象書類名】明細書
【補正対象項目名】００３１
【補正方法】変更
【補正の内容】
【００３１】
本発明にかかる指紋採取手段を用いた本人確認システムは、指紋採取部で採取した指紋を撮像手段で読み取り、指紋データベースに登録された指紋と照合し、照合結果や管理者が必要とする指紋採取の日時や本人のデータなどを情報記録部に書き込むことにより、採取した指紋と当該人物の情報を一体化することができる。
【手続補正４】
【補正対象書類名】明細書
【補正対象項目名】００４０
【補正方法】変更
【補正の内容】
【００４０】
ＩＤ入力部７２は必要に応じて設けても良く、不要とすることもできる。ＩＤ等必要情報の印字装置７６は、通常のプリンターやバーコードプリンターによる直接印字する手段や、光硬化樹脂を塗布した情報記録部１２に、適切な波長の光を光照射装置により照射して情報を書き込むことができる。
【国際調査報告】
2007043169.tif 000019
2007043169.tif 000020
2007043169.tif 000021
2007043169.tif 000022
2007043169.tif 000023
2007043169.tif 000024